(57)【要約】【課題】安全性を損なうことなく実用性を向上させる。【解決手段】安全性を損なうことなく目標への到達機能を高めるよう、エンドラインが演出的に表示される。視認性が向上し、ドライバーの進路選択を助け、目標への到達が確実になる。同時にドライバーの負担が軽減されることで安全性が高まる。【選択図】図１
2012027016.tif 000002
【特許請求の範囲】
【請求項１】
移動体に装備され、入力部、中央処理部、記憶部、出力部、表示部を有するナビゲーション装置において、
目標点に到達する通路をエンドライン１、エンドライン１に到達する通路をエンドライン２、順次にエンドラインｎに到達する通路をエンドラインｎ＋１とし、目標に関する情報を設定する手段を前記入力部は備え、目標が設定されたときに、前記エンドラインを前記記憶部から検索する手段、及び演算する検索・演算手段を前記中央処理部は備え、前記入力部は現在位置を入力する手段を備え、現在位置が移動したときに、前記エンドラインに関わる表示を変化させる処理手段を前記中央処理部は備え、出力部、表示部は音声、画像を出力・表示する手段を備えることを特徴とするナビゲーション装置。
【発明の詳細な説明】
【技術分野】
【０００１】本発明は移動体に使用されるナビゲーション装置に関する。
【背景技術】
【０００２】従来の技術は安全性などの制約を受け、目標点に到達するという目的をはたせなかった。
【発明が解決しようとする課題】
【０００３】安全性を確保した上で目標点への到達性を改善することである。
【課題を解決するための手段】
【０００４】  目標点に到達する通路をエンドライン１とし、エンドライン１に到達する通路をエンドライン２とし、順次エンドラインｎに到達する通路をエンドラインｎ＋１として表示する。
各エンドラインを演出的に表示することによって効果を高める。
【実施例】
【０００５】  以下に、本発明の実施例を添付図面にもとづいて説明する。図１において、１はエンドライン１、２および３はエンドライン２、４はエンドライン３、５はエンドライン４、６は目標点。入力部は現在位置、目標、移動体その他の旅行に関わる情報を入力する手段、記憶部は旅行に関わるデータ、作動のために必要なプログラム、プロセス他を記憶する手段、中央処理部は必要な検索、演算、出力、表示するための処理をする手段、出力部は情報を音声、画像などで出力、表示をする手段を備える。表示部は音声、画像を表示する手段を備える。
ロケーターは衛星電波、センサー、ビーコンなどから現在位置を検出する。携帯端末を利用する例においては通信機能を備えセンターとの間で送受信を行う。
センターに必要なデータ、プログラム等を備え、通信によって必要な処理をした後に携帯端末に送信することもできる。
目標に関する情報はインターネット、雑誌、パンフレット、観光ガイド、その他多様な手段、方法によって入手され、入力・設定される。
目標が入力され設定され（ステップ１）、エンドライン１からエンドラインｎまでが順次検索・演算され（ステップ２）、表示部にエンドラインが表示され（ステップ３）、現在位置の移動にともなってエンドラインの表示が変化する（ステップ４）。【０００６】目標、移動体その他旅行に関わる情報が入力されると、エンドラインが検索、演算されて出力、表示される。
目標点に到達する通路をエンドライン１とし、エンドライン１に到達する通路をエンドライン２とし、エンドライン２に到達する通路をエンドライン３とし、順次、エンドラインｎに到達する通路をエンドラインｎ＋１とする。
目標が点ではなくエリアであるか、またはエリア内の点である場合はエンドライン１が複数になる例もある。【０００７】  ある目標点についてはエンドラインをデータとして記憶部に記憶し、その目標点が目標として設定されたときは目標点とともに検索してエンドラインを出力、表示する。
または目標が設定されたときに、目標が所在する通路を検索してエンドライン１とし、エンドライン１と交点を有する通路をエンドライン２とし、エンドライン２と交点を有する通路をエンドライン３とし、このように順次エンドラインｎと交点を有する通路をエンドラインｎ＋１として検索する。
現在位置が異なるｎ数のエンドラインに移行したときは、ｎ数が小さくなった場合は目標へ近づいていることになるので、これを使用者に知らせるために、エンドラインの線の色や種類、背景色、キャラクターの告知、記号、サイン、音声による案内などで強調表示をすることがよい。一部のエンドラインを異なる表示にし、またはエンドラインの一部を異なる表示にすることで使用者が認知する負担を軽減する。例としてエンドライン１に現在位置があるとき目標点に近づくにつれて背景色、音声、通知音等で次第に近づいている状況を知らせることもできる。
エンドラインの一部を異なる表示にして強調表示とする。
ｎ数が大きくなったときは、目標への到達性が低くなっているので、これに適した強調表示をすることになる。
現在位置が所在するエンドラインのｎ数と同じｎ数のエンドラインと、このｎ数より大きいｎ数のエンドラインを目立たないようにし、ｎ数のより少ないエンドラインについて画像、音声で強調表示することもできる。
ひとつの道路が同時に異なる順位のｎ数であるときは上位の表示と下位の表示のいずれを優先表示するかは任意である。
例えばｎを表示しｎ＋ａ（ａは正の整数）を表示しないことにするか、その逆である例もある。【０００８】  エンドラインｎからエンドラインｎ＋１を検索する条件として、通路のランクは同等か以上の幅員の通路とすることもできる。
エンドラインｎの端部の交点を共有する通路をエンドラインｎ＋１とすると一般的にｎ＋１はｎよりも幅員が同じか広くなることが多い。
この例において、道路データがリンクデータとされているときはエンドラインｎのリンク列の端点を交点として共有しているリンクグループをｎ＋１としてリンクデータから検索することもできる。
一般的に、特定の目標とエンドラインをデータ化して記憶部に備えることが望ましい。
方向規制が多く、または不規則な形状の通路で構成される地域では、あらかじめ目標とエンドラインをセットでデータ化して記憶部に格納する。
エンドラインの表示エリアは当該エリアの通路、方向規制の密度に照らして表示上、適当とする。【０００９】  エンドラインが重複するときは、重複して表示するか、ｎ＋ａ（ａは正の整数）またはｎのみを表示する。ｎ＋ａを表示して、移動体がｎに移行したときにｎのみの表示に変えることもできる。
現在位置が所在するエンドラインを強調表示することもできる。
その他の組み合わせもあり、上位と下位のエンドラインも同様に扱う。
エンドラインｎが複数表示されているときに移動体がそのひとつのラインに進入した時点で、他のエンドラインｎを消去することで表示を簡単にすることができる。この例においては、ｎ＋１以上は表示しない。エンドラインから外れたときはすべてのエンドラインを表示する。
例えばエンドライン４のひとつのラインに進入したときは他のエンドライン４は消去する。【００１０】  方向規制に従ってエンドライン１では目標点まで、その他はエンドラインｎとの交点までをエンドラインｎ＋１として表示することもできる。
エンドラインｎ＋１からエンドラインｎに移動体が移行したときはエンドラインｎ＋１はすべて消去して表示を簡略にするとよい。
エンドラインについても、現在位置が所在するエンドラインｎのみを表示して、その他のエンドラインｎを消去し、ｎ数のより少ないエンドラインとともに表示することによって、目標点に到達するためにより価値の高いエンドラインと現在位置が所在するエンドラインのみの表示となって、表示の視認性が向上する。
エンドラインｎよりもｎ数の多いエンドラインは表示しないか、目立たない色や線種に変えて表示する。
ｎ数がより多いエンドラインに進入した時は理論的に同様の処理をする。
エンドラインｎからエンドライン１に至る組み合わせが多数存在する場合がある。
このときは表示を簡単にするためにいくつかの組み合わせを選択的に表示することもできる。【００１１】  通路の形状が複雑で方向規制の多いエリアでは目標点への到達が困難で、商業的施設の立地としては不良である。
当該施設を目標点とし、エンドラインをデータ化して登録し、ナビコードを付与して、名刺やパンフレットに記載し、またインターネットに表記し、あるいはその他の通知手法で訪問者に知らせれば誘致機能を備えた新しい広告として利用できる。
携帯端末や車載装置に通信機能を付け、センターからナビコードを配信するか、または登録施設については、登録施設に関連する情報がセンターに送信されたときに目標点とエンドラインを配信することによって効率化できる。【００１２】  各エンドラインの色や線種を異なったものとし移動体の移行にあわせて背景を含めてライン表示の演出をステージ毎にデザインし、識別性や興趣を高めることが望ましい。
ｎ数が少なくなるにつれて目標点への到達性が高まっていることを、背景色や線の色、種類など、また効果音や何らかのキャラクターの利用によってゲーム性を高めることや、ドライバーの了解性を向上させることもできる。
２次元と３次元とを組み合わせた表示やラインの強調や消去などを工夫する。表示エリアの範囲や縮尺にともなう演出がデザインされることがよい。通路の幅員、規制、管理などの属性に応じた表現をしてもよい。
エンドラインの１からｎまでの各ラインについて表示と消去を利用者のニーズに合わせて表現することもできる。
【発明の効果】
【００１３】安全性を損なうことなく目標点１の到達機能を高める。
【図面の簡単な説明】
【００１４】
【図１】本発明の表示例
【符号の説明】１  エンドライン１
２  エンドライン２
３  エンドライン３
４  エンドライン４
５  エンドライン５
６  目標点
【図１】
2012027016.tif 000003